(57)【特許請求の範囲】
【請求項１】
姿勢変化によって光の反射方向を切り替え可能な複数の光変調素子を２次元配列させた光変調素子アレイと、
コヒーレント性のある第１の光を、第１方向に沿って前記光変調素子アレイに入射させるとともに、第１の光に対して位相差があってコヒーレント性のある第２の光を、第１方向とは異なる第２方向に沿って、前記第１の光が入射する前記光変調素子アレイに入射させる照明システムと、
前記光変調素子アレイで反射した第１および第２の光をパターン形成面に結像させる結像光学系と、
パターンデータに従って、前記複数の光変調素子それぞれの姿勢を制御する露光制御部とを備え、
前記複数の光変調素子各々が、第１の光を前記結像光学系の光軸に沿った方向へ反射させる第１位置と、第２の光を前記結像光学系の光軸に沿った方向へ反射させる第２位置に姿勢をとることが可能であり、
前記露光制御部が、前記複数の光変調素子を、パターンに応じて第１位置と第２位置のいずれかに選択的に位置決めすることを特徴とする露光装置。
【請求項２】
前記照明システムが、第１の光と第２の光とを、前記光変調素子アレイの垂直方向に対し、絶対値が同じ入射角度で入射させることを特徴とする請求項１に記載の露光装置。
【請求項３】
前記露光制御部が、前記複数の光変調素子のうち、非露光対象エリアを間に挟んで相対する露光対象エリアに光を投影する光変調素子であって、非露光対象エリアにおいて光強度分布が互いに重なり合う光を投影する光変調素子に対し、一方の露光対象エリアへ光を投影する光変調素子を第１位置、他方の露光対象エリアへ光を投影する光変調素子を第２位置に位置決めすることを特徴とする請求項１に記載の露光装置。
【請求項４】
各光変調素子が、フラット状態から第１の光の入射方向を向く所定角度だけ傾斜した第１位置と、フラット状態から第２の光の入射方向を向く所定角度だけ傾斜した第２位置との間で姿勢変化可能であり、
前記露光制御部が、前記複数の光変調素子のうちパターン光を投影する光変調素子を第１位置および第２位置のうちの一方に位置決めし、また、非露光対象エリアに応じた光変調素子を他方に位置決めし、
前記照明システムが、非露光対象エリアに応じた光変調素子に入射する第１の光、第２の光のうち一方の光を、他方の光に対して相対的に光強度を小さくして照射することを特徴とする請求項１に記載の露光装置。
【請求項５】
各光変調素子が、フラット状態から第１の光の入射方向を向く所定角度だけ傾斜した第１位置と、フラット状態から第２の光の入射方向を向く所定角度だけ傾斜した第２位置と、フラット状態との間で姿勢変化可能であり、
前記露光制御部が、パターン光を投影する光変調素子を、第１の光入射に対して第１位置に位置決めし、第２の光入射に対して第２位置に位置決めし、そして、パターン光を投影しない光変調素子を、フラットな状態に位置決めすることを特徴とする請求項１乃至３のいずれかに記載の露光装置。
【請求項６】
前記露光制御部が、第１、第２の光を微小露光エリア幅サイズ分だけ空けて結像させるように、前記複数の光変調素子を位置決めすることを特徴とする請求項１に記載の露光装置。
【請求項７】
第１、第２の光の強度が、パターンを基板感光表面に形成するのに必要な露光エネルギー以上のエネルギーになるように、感光材の感度に従って定められていることを特徴とする請求項１に記載の露光装置。
【請求項８】
前記照明システムが、第１の光を照射する第１光源と、第２の光を照射する第２光源と、第１の光もしくは第２の光に対して位相をシフトさせる位相シフト光学系とを有することを特徴とする請求項１乃至７のいずれかに記載の露光装置。
【請求項９】
前記照明システムが、照明光を照射する光源と、照明光を第１の光と第２の光に分割する分割光学系と、第１の光もしくは第２の光に対して位相をシフトさせる位相シフト光学系とを有することを特徴とする請求項１乃至７のいずれかに記載の露光装置。
【請求項１０】
第１の光と第２の光が、互いに１／２波長分の位相差をもつコヒーレント光であることを特徴とする請求項１乃至９のいずれかに記載の露光装置。
【請求項１１】
姿勢変化によって光の反射方向を切り替え可能な複数の光変調素子を２次元配列させた光変調素子アレイと、
コヒーレント性のある第１の光を、第１方向に沿って前記光変調素子アレイに入射させるとともに、第１の光に対して位相差があってコヒーレント性のある第２の光を、第１方向とは異なる第２方向に沿って、前記第１の光が入射する前記光変調素子アレイに入射させる照明光学系と、
前記光変調素子アレイで反射した第１および第２の光をパターン形成面に結像させる結像光学系とを備え、
前記複数の光変調素子各々が、第１の光を前記結像光学系の光軸に沿った方向へ反射させる第１位置と、第２の光を前記結像光学系の光軸に沿った方向へ反射させる第２位置に姿勢をとることが可能であり、
前記複数の光変調素子が、パターンに応じて第１位置と第２位置いずれかに選択的に位置決めされることを特徴とする露光ヘッド。
【発明の詳細な説明】
【技術分野】
【０００１】
本発明は、光変調素子アレイを用いてパターンを形成するマスクレス露光装置に関し、特に、マスクレス露光装置の露光方法に関する。
【背景技術】
【０００２】
マスクレス露光装置は、通常、マイクロミラーを二次元配列させたＤＭＤ（Digital Micro-mirror Device）を備えており、パターンに応じて各マイクロミラーをＯＮ／ＯＦＦ制御することにより、パターン光が基板に投影される。光変調素子アレイによる投影エリア（露光エリア）が基板に対して相対移動するのに伴い、その露光エリアの位置に応じたパターン光が順次投影される。
【０００３】
マスクレス露光装置におけるパターンの分解能は、ミラーサイズ、縮小投影光学系の倍率、ＮＡなどによって決定される。分解能を向上させる方法としては、一方のビームの位相を１／２波長だけずらした２つのビームを基板に同時照射する位相シフト露光が知られている（特許文献１参照）。
【０００４】
そこでは、２つのＤＭＤを配置してそれぞれにビームを照射する。このとき、隣接画素に別々のビームを照射させるため、各ＤＭＤのミラーを一つおきにＯＮ／ＯＦＦ制御する。画素間でビームの位相が半波長分ずれることにより、隣接画素間の部分が光の干渉によって暗部になる。その結果、マスク露光装置でレベンソン型の位相シフトマスクを利用したときと同じような分解能向上が得られる。
【０００５】
また、第１ビームによる投影像と第２ビームによる投影像を縦横両方向に沿って半画素ピッチ分だけずらし、半波長分の位相差をもつ２つのビームを照射することも可能である。この場合、各ＤＭＤの全ミラーを利用することができる。
【先行技術文献】
【特許文献】
【０００６】
【特許文献１】特開２００９−７１１１６号公報
【発明の概要】
【発明が解決しようとする課題】
【０００７】
位相シフトマスクをマスクレス露光装置へ展開した従来の位相シフト露光は、画素単位での解像度向上を目的とし、隣接画素間に露光エネルギー量０に近い部分を作り出している。その部分が暗部となることによって、パターン解像度を向上させる。しかしながら、マスクレス露光装置の場合、パターン幅の微細化が常に最重要課題となるわけではない。
【０００８】
例えばプリント基板等を製造対象としてマスクレス露光装置を使用する場合、露光波長に近いパターンを形成するような縮小投影露光ではなく、倍率およそ１倍前後の結像レンズを用いて露光することが多い。これは、解像度がマイクロミラーサイズによりある程度制限されること、また、大型サイズ基板の描画処理を目的とした場合、パターン幅が露光波長よりも十分大きいことなどに起因する。
【０００９】
その一方で、マスクレス露光装置に組み込まれる結像レンズは、定められた解像度の要求を確実に満たす観点から、焦点深度が比較的浅い。そのため、焦点位置がわずかにずれるとボケが生じやすく、パターン解像度の低下につながる。ボケを抑えるためには、パターン像のコントラストを向上させなければならない。
【００１０】
しかしながら、従来の露光方法は、結像レンズの焦点位置、焦点深度内で結像している状況下において解像度を上げることはできても、結像レンズの焦点深度から外れた時のパターンの解像性を確保する、すなわち、十分なコントラストを維持する露光方法に該当しない。
【００１１】
したがって、光変調素子アレイを使用しながら、コントラスト向上を実現する露光を行なうことが求められる。
【課題を解決するための手段】
【００１２】
本発明の露光装置は、姿勢変化によって光の反射方向を切り替え可能な複数の光変調素子を２次元配列させた光変調素子アレイと、コヒーレント性のある第１の光と、第１の光に対して位相差があってコヒーレント性のある第２の光とを、それぞれ第１方向、第２方向に沿って光変調素子アレイに入射させる照明システムと、光変調素子アレイで反射した第１および第２の光をパターン形成面に結像させる結像光学系と、パターンデータに従って、複数の光変調素子それぞれの姿勢を制御する露光制御部とを備える。
【００１３】
複数の光変調素子各々は、第１の光を結像光学系の光軸に沿った方向へ反射させる第１位置と、第２の光を結像光学系の光軸に沿った方向へ反射させる第２位置に姿勢をとることが可能である。別の言い方をすれば、複数の光変調素子がとりうる第１位置、第２位置の姿勢で位置決めしたときに結像光学系へ第１、第２の光を反射するように、光変調素子アレイに対する第１、第２の光入射角、および結像光学系の位置が定められている。
【００１４】
ＤＭＤなどを光変調素子アレイとして使用する場合、各光変調素子は、フラット状態から第１の光の入射方向を向く所定角度だけ傾斜した第１位置と、フラット状態から第２の光の入射方向を向く所定角度だけ傾斜した第２位置と、フラット状態との間で姿勢変化可能である。特に、ＯＮ状態、ＯＦＦ状態を第１位置、第２位置（もしくはその逆）とすることができる。
【００１５】
照明システムとしては、様々な構成を適用することが可能である。例えば、照明システムは、第１の光を照射する第１光源と、第２の光を照射する第２光源と、第１の光もしくは第２の光に対して位相をシフトさせる位相シフト光学系を備えるようにすればよい。
【００１６】
あるいは、照明システムは、照明光を照射する光源と、照明光を第１の光と第２の光に分割する分割光学系と、第１の光もしくは第２の光に対して位相をシフトさせる位相シフト光学系とを備えるようにしてもよい。
【００１７】
本発明では、露光制御部が、複数の光変調素子を、パターンに応じて第１位置と第２位置のいずれかに選択的に位置決めする。第１の光と第２の光が回折光として基板に投影すると、第１の光の強度分布と第２の光の強度分布が重なる場所では、位相差に基づく光の干渉作用で暗部が際立つ部分が生じる。その結果、パターンエッジなどで輝度差が十分に確保される。
【００１８】
このように、本発明の露光処理は、パターン形成に応じて光変調素子を選択的に位置決めし、回折光による干渉露光を生じさせるものであり、いわゆるレベンソン型位相シフトマスク、ハーフトーン型位相シフトマスクなどで実現される解像度向上（パターン幅微細化）を目的とする干渉露光を、コントラスト拡大の干渉露光に展開したものである。この干渉露光は、各光変調素子の姿勢によって２つの光の干渉箇所を自在に設定できるため、パターン形状、種類に応じて様々な干渉露光を実現することが可能である。
【００１９】
第１の光と第２の光の位相差については、光強度分布が重なる範囲で位相をシフトさせればよく、パターン間隔などに基づいて回折光による干渉でエネルギー分布が減ずる部分に非露光部分あるいはパターン境目が当てはまるように位相をシフトさせればよい。例えば、第１の光と第２の光を、互いに１／２波長分の位相差をもつコヒーレント光にすることができる。
【００２０】
例えば、パターン配列が規則的な間隔をもつ配列の場合、露光制御部は、複数の光変調素子のうち、パターン光を投影する（基板表面に光を導く）光変調素子であって光強度分布が互いに重なり合う光を投影する光変調素子に対し、一方の光変調素子を第１位置、他方の光変調素子を第２位置に位置決めすることが可能である。干渉作用により、非露光対象となるエリア（以降、非露光対象エリアという）において位相の異なる回折光が重なった部分に暗部が形成され、コントラストが向上する。
【００２１】
特に、露光制御部は、前記複数の光変調素子のうち、非露光対象エリアを間に挟んで相対する露光対象エリアに光を投影する光変調素子であって、非露光対象エリアにおいて光強度分布が互いに重なり合う光を投影する光変調素子に対し、一方の露光対象エリアへ光を投影する光変調素子を第１の位置、他方の露光対象エリアに光を投影する光変調素子を第２の位置に位置決めすることが可能である。
【００２２】
このような干渉露光を行なう場合、露光制御部は、パターン光を投影する光変調素子を、第１の光入射に対して第１位置に位置決めし、第２の光入射に対して第２位置に位置決めすることが可能である。また、露光制御部は、パターン光を投影しない光変調素子を、フラットな状態に位置決めすればよい。
【００２３】
一方、露光制御部は、複数の光変調素子のうちパターン光を投影する光変調素子を第１位置および第２位置のうちの一方に位置決めし、また、感光させない非露光対象エリアに応じた光変調素子を他方に位置決めすることが可能である。この場合、照明システムは、非露光対象エリアに応じた光変調素子に入射する第１の光、第２の光のうち一方の光を、他方の光に対して相対的に光強度を小さくして照射する（例えば、第１の光に対して数パーセントの光強度）。これにより、非露光対象エリアは感光せず、一方で暗部が明瞭となる。
【００２４】
例えば、各光変調素子が、フラット状態から第１の光の入射方向を向く所定角度だけ傾斜した第１位置と、フラット状態から第２の光の入射方向を向く所定角度だけ傾斜した第２位置との間で姿勢変化可能である場合、前記露光制御部は、パターン光を投影する光変調素子を第１位置および第２位置のいずれか一方に位置決めし、非露光対照エリアに応じた光変調素子を他方の位置に位置決めすればよい。
【００２５】
本発明の他の局面における露光ヘッドは、姿勢変化によって光の反射方向を切り替え可能な複数の光変調素子を２次元配列させた光変調素子アレイと、コヒーレント性のある第１の光と、第１の光に対して位相差があってコヒーレント性のある第２の光とを、それぞれ第１方向、第２方向に沿って光変調素子アレイに入射させる照明光学系と、光変調素子アレイで反射した第１および第２の光をパターン形成面に結像させる結像光学系とを備え、複数の光変調素子各々が、第１の光を結像光学系の光軸に沿った方向へ反射させる第１位置と、第２の光を結像光学系の光軸に沿った方向へ反射させる第２位置に姿勢をとることが可能であり、複数の光変調素子が、パターンに応じて第１位置と第２位置いずれかに選択的に位置決めされることを特徴とする。
【発明の効果】
【００２６】
本発明によれば、マスクレス露光装置において、コントラストのあるパターン画像を形成し、ボケを抑えることができる。
【図面の簡単な説明】
【００２７】
【図１】露光装置の概略的ブロック図である。
【図２】照明システムの概略的構成図である。
【図３】露光ヘッド内部の概略的構成図である。
【図４】マイクロミラーの姿勢状態と光の反射方向を示した図である。
【図５】ＤＭＤにおけるミラー像と反射光の種別を示した図である。
【図６】露光面における光強度分布を示した図である。
【図７】第２の実施形態における照明システムの概略的構成図である。
【図８】第３の実施形態における照明システムの概略的構成図である。
【図９】第３の実施形態における露光ヘッド内部の概略的構成図である。
【図１０】第３の実施形態におけるマイクロミラーの姿勢と光の反射方向を示した図である。
【発明を実施するための形態】
【００２８】
以下では、図面を参照して本発明の実施形態について説明する。
【００２９】
図１は、第１の実施形態である露光装置の概略的ブロック図である。
【００３０】
露光装置（描画装置）１０は、フォトレジストなどの感光材料を塗布、あるいは貼り付けた基板Ｓへ光を照射することによってパターンを形成するマスクレス露光装置である。システムコントロール回路１９は、露光動作全体を制御する。
【００３１】
露光装置１０は、照明システム２０、ＤＭＤ３０、結像光学系４０を備える。照明システム２０は、２つのレーザー光源、照明光学系（ここでは図示せず）を備え、照明光をＤＭＤ３０へ照射する。照明システム２０、ＤＭＤ３０、結像光学系４０は、いわゆる露光ヘッドを構成する。光源駆動部１５は、レーザー光源をそれぞれ駆動する。
【００３２】
ベクタデータなどで構成されるＣＡＤ／ＣＡＭデータが露光装置１０へ入力されると、ラスタ変換、露光データ変換回路１６に送られる。ラスタ変換、露光データ変換回路１６では、ベクタデータがラスタデータに変換されるとともに、生成されたラスタデータに基づき、後述する干渉露光用の露光データが生成される。生成された露光データは、バッファメモリ１７に一時的に格納された後、ＤＭＤ駆動回路１８へ送られる。
【００３３】
ＤＭＤ３０は、微小マイクロミラーを２次元配列させた光変調素子アレイ（光変調器）であり、各マイクロミラーは、姿勢を変化させることによって光の反射方向を選択的に切り替える。ＤＭＤ駆動回路１８によって各ミラーが姿勢制御されることにより、パターンに応じた光が結像光学系４０に入射する。結像光学系４０は、入射した光を基板Ｓの表面に結像し、これによってパターン光が投影される。
【００３４】
描画テーブル１１は、ステージ駆動部１３によりＸ、Ｙ方向に沿って移動可能である。ステージ駆動部１３は、ステージ制御回路１４からの制御信号に従い、描画テーブル１１を移動させる。位置検出センサ１２は、描画テーブル１１の位置、すなわち基板Ｓの位置を検出する。
【００３５】
露光中、描画テーブル１１は、走査方向に沿って一定速度で移動する。ＤＭＤ３０全体による投影エリア（以下、露光エリアという）は、基板Ｓの移動に伴って基板上を相対的に移動する。バッファメモリ１７には露光データが順次入力されており、検出される露光エリアの相対位置に応じデータが、バッファメモリ１７からＤＭＤ駆動回路１８へ送られる。
【００３６】
露光動作は、所定の露光ピッチに従って行なわれ、露光期間に合わせてマイクロミラーがパターン光を投影するように制御される。ＤＭＤ３０の各マイクロミラーの制御タイミングを露光エリアの相対位置に従って調整することにより、露光エリアの位置に描くべきパターンの光が順次投影される。基板Ｓ全体を走査することによって、基板Ｓ全体にパターンが形成される。
【００３７】
なお、露光方式としては、一定速度で移動する連続移動方式だけでなく、間欠的に移動するステップ＆リピートも可能である。また、露光ショット時の投影エリアを部分的に重ねる多重露光（オーバラップ露光）も可能である。また、ここでは１つの露光ヘッドを備えた露光装置を説明しているが、複数の露光ヘッドを用いて描画処理を行うことも可能である。
【００３８】
図２は、照明システムの概略的構成図である。図３は、露光ヘッド内部の概略的構成図である。マイクロミラーの姿勢状態と光の反射方向を示した図である。図４は、マイクロミラーの姿勢状態と光の反射方向を示した図である。図２〜４を用いて、照明システム２０の構成およびＤＭＤ３０の各マイクロミラーによる光変調について説明する。
【００３９】
露光ヘッド１００を構成する照明システム２０は、ともにレーザー発振器である第１、第２レーザー光源２１Ａ、２１Ｂを備え、各レーザー光源は、コヒーレント光を放射する。この段階では、２つのビームの間に位相差は実質存在しない。
【００４０】
第１レーザー光源２１Ａから放射された第１の光は、照明光学系２２Ａを通り、ミラー２４Ａを介してＤＭＤ３０に入射する。一方、第２レーザー光源２１Ｂから放射された第２の光は、照明光学系２２Ｂを通過した後、位相板２３に入射する。位相板２３は、光路差を設けて光の位相を半波長分シフトさせる波長板であり、第２の光は、第１の光に対して１／２波長位相がずれた光となってミラー２４Ｂに入射する。ミラー２４Ｂに入射した第２の光は、ＤＭＤ３０へ導かれる。
【００４１】
第１の光と第２の光の光軸Ｅ１、Ｅ２は、ミラー２４Ａ、２４Ｂの進行方向に向けて互いに一致しており、ミラー２４Ａ、２４Ｂは、その光軸Ｅ１、Ｅ２に対して同じ傾斜角度分だけ傾いた状態で配置されている。そして、ミラー２４Ａ、２４Ｂは、ＤＭＤ３０の垂直方向Ｖに対し、第１の光と第２の光を（絶対値が）同じ入射角度で入射させる。
【００４２】
図４では、ＤＭＤ３０における１つのマイクロミラーＭの姿勢変化を示している。ただし、マイクロミラーＭは誇張して大きく描いている。マイクロミラーＭは、静電界作用によって中心軸周りに軸回転可能であって、３つの姿勢のうちいずれかの姿勢で位置決め可能である。他のマイクロミラーも同様である。
【００４３】
マイクロミラーＭがＯＮ状態のとき、傾きのないフラット状態（０度）から第１の光の入射方向を向くように１２°傾く。一方、マイクロミラーＭがＯＦＦ状態の場合、その反対側であって第２の光の入射方向へ向くように同じ角度（−１２°）傾斜する。さらに、マイクロミラーＭは、ＯＮ／ＯＦＦ状態の姿勢に加え、フラット状態（０°）で位置決めすることが可能である。
【００４４】
結像光学系４０の光軸Ｅ３は、ＤＭＤ３０の表面垂直方向Ｖと一致する。第１の光と第２の光は、ＤＭＤ表面垂直方向Ｖ、すなわち光軸Ｅ３に関して対称的な方角からＤＭＤ３０へ進行する。垂直方向Ｖに対する傾斜角度はともにその絶対値θ（＝２４°）で等しい。
【００４５】
マイクロミラーＭがＯＮ状態の場合、第１の光は光軸Ｅ３方向へ反射する。また、マイクロミラーＭがＯＦＦ状態の場合、第２の光は光軸Ｅ３方向へ反射する。従って、マイクロミラーＭがＯＮ状態のときに第１の光を入射させ、マイクロミラーＭがＯＦＦ状態のときに第２の光を入射させることにより、第１、第２の光がともに結像光学系４０によって基板Ｓの表面に結像される。
【００４６】
一方、マイクロミラーＭがＯＮ状態（１２°）で第２の光がマイクロミラーＭに入射し、マイクロミラーＭがＯＦＦ状態（−１２°）で第１の光がマイクロミラーＭに入射すると、結像光学系４０の光軸Ｅから外れた方向（４８°、−４８°）へ第１、第２の光が進行する。
【００４７】
また、マイクロミラーＭがフラット状態で位置決めされた場合、マイクロミラーＭは、第１の光、第２の光を、それぞれ第２の光、第１の光の進行方向に向けて反射する。したがって、フラット状態は、第１の光、第２の光いずれも基板外へ導く。なお、マイクロミラーＭが厳格にフラット状態に位置決めできないような場合においても、捨光の目的であることから、およそフラット状態に位置決めできればよい。以上のマイクロミラーＯＮ／ＯＦＦ、フラット状態における光の進行については、他のマイクロミラーも同じである。
【００４８】
本実施形態では、通常のマイクロミラーの光変調方式のように、パターン形成時にマイクロミラーＭをＯＮ状態、パターン形成しないときＯＦＦ状態に切り替えるのではなく、各マイクロミラーＭの姿勢を、ＯＮ状態、ＯＦＦ状態、フラット状態のいずれかに選択する。
【００４９】
具体的には、パターン形成に寄与する場合、各マイクロミラーＭはＯＮ／ＯＦＦ状態いずれかの姿勢に切り替えられる。これによって、第１の光と第２の光のうち一方の光が選択されて基板Ｓに投影される。このとき、選択されていない光は基板外へ導かれるため、影響はない。一方、パターン光を照射しない（露光ＯＦＦとなる）領域に該当するマイクロミラーＭは、第１の光、第２の光両方を捨光するため、フラット状態の姿勢となる。
【００５０】
その結果、露光エリア全体に対して投影されるパターン光は、第１の光と第２の光の両方を含む光束によって構成されることになり、位相差のある光、すなわち位相が正反対の光が相互干渉する干渉露光が行なわれる。この干渉露光が、露光動作の度に行なわれる。ここではポジティブ露光の場合について説明したが、ネガティブ露光の場合、マイクロミラーのパターン形成部分が逆転するため、基板Ｓに到達する光の干渉を考慮してＤＭＤのＯＮ／ＯＦＦ状態を適宜選択する。
【００５１】
各マイクロミラーが第１の光、第２の光いずれを選択するかは、そのときに形成するパターン形状等に従う。ここでは、隣り合うパターンエッジ部分を形成する光同士に位相差をもたせ、干渉露光させる。以下、干渉露光について説明する。
【００５２】
図５は、ＤＭＤにおけるミラー像と反射光の種別を示した図である。図６は、露光面における光強度分布を示した図である。
【００５３】
図５では、互いに隣接する３つのマイクロミラーＭＰＡ１、ＭＰＡ２、ＭＰＡ３の変調状態を示している。マイクロミラーＭＰＡ１、ＭＰＡ２、ＭＰＡ３の投影エリア（以下、微小露光エリアという）ＰＡ１、ＰＡ２、ＰＡ３（図３参照）は、基板上を相対移動し、露光動作時の位置に形成すべきパターンによって、光を基板に投影、もしくは基板外へ導く。
【００５４】
図３に示すように、１つ分の微小露光エリア幅サイズの非露光対象エリア（パターン光を投影しないエリア）を間にして直線状パターンを繰り返すパターンを形成する場合を考える。なお、図３は第１の光と第２の光の光軸のみ示しており、各マイクロミラーの反射する個々の光は図示していない。ある露光動作においては、マイクロミラーＭＰＡ１、ＭＰＡ２、ＭＰＡ３に入射する光がそれぞれ投影、捨光、投影となるように変調される。すなわち、マイクロミラーＭＰＡ１、ＭＰＡ３は、基板に光を投影する姿勢（ＯＮ状態もしくはＯＦＦ状態）に位置決めされ、マイクロミラーＭＰＡ２は、基板外へ光を導く姿勢（フラット状態）に位置決めされる。ここで基板外へ光を導くとは、具体的には結像光学系４０へ光を入射させず、図示しない光吸収手段に光を導くことを表す。
【００５５】
ここでは、マイクロミラーＭＰＡ１が第１の光を反射し、マイクロミラーＭＰＡ３が第２の光を反射する。したがって、マイクロミラーＭＰＡ１がＯＮ状態、マイクロミラーＭＰＡ３がＯＦＦ状態に位置決めされる。パターン内部に光を投影するマイクロミラーに関しては、同じ位相の光（第１もしくは第２の光）で投影すればよい。マイクロミラーＭＰＡ１、ＭＰＡ３に照射される第１の光、第２の光の強度は、位相差があるため正負反対で表している（図５参照）。
【００５６】
図６には、干渉露光と非干渉露光における光の位相、強度分布、および干渉後の光強度分布を示している。実際に基板に到達する第１の光、第２の光の強度分布は、回折光を含むため緩やかな山なりのカーブとなり、隣の微小露光エリアＰＡ２にまで及ぶ。そのため、基板上の光強度分布Ｌには、微小露光エリアＰＡ２内において第１の光と第２の光が干渉し、光強度０に近い部分が生じる。
【００５７】
非干渉露光の光強度分布Ｌ０と、干渉露光の光強度分布Ｌとを比較すると、光強度分布Ｌ０では、微小露光エリアＰＡ２において位相および強度がともに正であるため、第１の光、第２の光の作る強度分布の谷部の強度が増加する。そのため、光強度分布は微小露光エリアＰＡ２において０付近まで落ち込まず、微小露光エリアＰＡ１、ＰＡ２との間における強度差（輝度差）は小さい。
【００５８】
一方、干渉露光によって現れる光強度分布Ｌでは、微小露光エリアＰＡ２において強度０に近い部分が存在するため、微小露光エリアＰＡ１、ＰＡ２間の強度差が大きくなり、光強度分布が急峻になり、結果的にコントラストが上がる。
【００５９】
このように、互いに位相の異なる２つの光を微小露光エリア１つ分空けて結像させると、その間に挟まれた非投影の微小露光エリアＰＡ２において回折光の干渉が生じ、隣接する微小露光エリア間で輝度差の大きい光強度分布Ｌが生じる。
【００６０】
一般に、パターンを基板の感光表面に形成するためには、感光材の感度に従う露光エネルギー量ＲＬ（以下、適正露光量ＲＬという）以上のエネルギーになるよう光の強度を定め、パターン光を投影する必要がある。しかしながら、基板の変形、歪などが原因で結像光学系４０の焦点深度から外れた場合、光強度分布Ｌは、より緩やかな曲線分布となる。そのため、最大強度部分あるいは最小強度部分と適正露光量ＲＬとの差が小さくなる。
【００６１】
非干渉露光の場合、微小露光エリアＰＡ２における光強度と適正露光量ＲＬとの差が元来大きくないため、焦点深度から外れた場合、微小露光エリアＰＡ１と微小露光エリアＰＡ３のパターンとが切れ目なく繋がり、パターンエッジが形成されない恐れがある。
【００６２】
一方、干渉露光の場合、結像位置が焦点深度の範囲から外れるような状況になっても投影部分と非投影部分との間のコントラストが大きく、強度０に近い範囲が明瞭であるため、微小露光エリアＰＡ１と微小露光エリアＰＡ３のパターンは分離される。そのため、パターンエッジがしっかりと形成され、ボケの影響がパターン像に現れない。
【００６３】
干渉の必要のないパターン光については、第１の光を照射するようにラスタデータをＯＮデータに設定すればよい。また、露光ＯＦＦのエリアについては、マイクロミラーがフラット状態となるようにラスタデータを設定する。なお、第１の光と第２の光を逆にしてラスタデータを設定することも可能である。
【００６４】
以上のように本実施形態によれば、互いに半波長分の位相差をもち、コヒーレント性のある第１、第２の光を、ＤＭＤ３０に入射させる。ＤＭＤ３０の各マイクロミラーは、パターンを形成する場合、各露光動作において、第１の光を投影するマイクロミラーをＯＮ状態（第１位置）、第２の光を投影するマイクロミラーをＯＦＦ状態（第２位置）に切り替えることにより、第１の光もしくは第２の光を微小露光エリア単位で基板へ投影させる。一方、露光ＯＦＦ（捨光）するエリアの場合、マイクロミラーはフラット状態に位置決めされる。
【００６５】
互いに位相差のある２つの光を１つのＤＭＤに対して別々の方向から照射し、ＤＭＤの各マイクロミラーを３つの姿勢で制御することにより、２つの光から成るパターン光が露光エリアに投影される。そして、微小露光エリア幅を挟んで隣り合うパターンの非露光対象エリアにおいて干渉露光が行なわれる。その結果、パターン像のコントラストが向上する。
【００６６】
このような干渉露光を行なうことにより、基板の凹凸やねじれによって焦点ズレが生じても、ボケのないパターンを形成することができる。特に、マスクレス露光装置に使用される大型基板の場合、基板表面の微小な凹凸やねじれが製造プロセス上存在し、焦点深度の浅い結像光学系を用いる場合が多いが、ピンボケを抑え、解像度の低下を招くことなくパターンを形成することが可能となる。
【００６７】
また、各マイクロミラーの姿勢はあらかじめ決められているのではなく、パターンに応じて選択的に決定される。そのため、様々なパターン形状に対しても、コントラストを拡大させる必要のあるパターンエッジ部分を抽出し、その部分のラスタデータを干渉露光用データに変換するだけで干渉露光を実現させることができる。特に、単一のＤＭＤを使用しながら干渉露光を実現するため、簡易な構成で位相シフト、干渉を利用した様々な露光を実現することができる。
【００６８】
なお、本実施形態の干渉露光は、パターンエッジ部分など隣接画素間で光強度差を拡大させるように第１の光、第２の光を投影可能にしているが、半波長分の位相差があって光強度が極めて小さい光をパターン周囲に照射することによっても、光強度分布を急峻にすることが可能である。
【００６９】
この場合、パターン光については、すべて第１の光（もしくは第２の光）によって構成し、該当するマイクロミラーはＯＮ状態に位置決めされる。一方、第２の光（もしくは第１の光）については、半波長分の位相差をもたせるとともに、非常に小さな光強度（例えば、第１の光の数パーセントの光強度）で光源部から照射させる。
【００７０】
そして、露光ＯＦＦに該当するマイクロミラーは、第２の光を基板へ投影させるように、ＯＦＦ状態に位置決めされる。その結果、第１の光によるパターン周囲には第１の光と第２の光の干渉作用によって谷が生じ、急峻な光強度分布を生成することができる。第２の光の光強度が十分小さいため、露光ＯＦＦ部分にパターンが形成されることはない。
【００７１】
第１の光と第２の光の位相差については、正確に半波長分の位相差をもたせることに限定されない。光強度分布曲線の分布幅などに従い、光の干渉（山と谷の重なり）が生じるように、位相差をもたせればよい。
【００７２】
次に、図７を用いて、第２の実施形態である露光装置について説明する。第２の実施形態では、１つの光源から２つの光を生成し、ＤＭＤに入射させる。それ以外の構成については、第１の実施形態と実質的に同じである。
【００７３】
図７は、第２の実施形態における照明システムを示した構成図である。
【００７４】
照明システム１２０の光源１２１は、レーザー発振器、またはＬＤ、放電灯などによって構成されており、コヒーレント性のある光を放出する。光源１２１から放出された光は、ビームスプリッターなどの光分割光学系１２７によって分割される。分割によって得られた２つのビーム（以下、第１の光、第２の光という）は、互いに逆方向に向けて光分割光学系１２７から出射する。
【００７５】
第１の光は、ミラー１２５Ａ、１２６Ａを介して照明光学系１２２Ａに入射し、ミラー１２４Ａで反射した後、ＤＭＤ３０に入射する。一方、第２の光は、ミラー１２５Ｂ、１２６Ｂ、位相シフト板１２３を介して照明光学系１２２Ｂに入射し、ミラー１２４Ｂで反射した後、ＤＭＤ３０に入射する。
【００７６】
そして、第１の実施形態と同様に、第１の光と第２の光が選択的に基板Ｓに照射される。第２の光は第１の光と半波長分位相差をもつため、干渉露光が実現し、光強度０付近の範囲が明瞭になる。その結果、コントラストのあるパターンを形成することができる。
【００７７】
次に、図８〜１０を用いて、第３の実施形態について説明する。第３の実施形態では、ＤＭＤによって光源からの光を分割し、位相差を作り出した後に２つの光を選択的に照射する。
【００７８】
図８は、第３の実施形態における照明システムを示した図である。図９は、第３の実施形態における露光ヘッド内部の概略的構成図である。そして、図１０は、第３の実施形態におけるマイクロミラーの姿勢と光の反射方向を示した図である。
【００７９】
照明システム２２０の光源部２２１は、レーザー発振によって構成されており、コヒーレント光を放出する。光源１２１から放出された光は、照明光学系２２２、ミラー２２３を介してＤＭＤ３０に入射する。
【００８０】
図８に示すように、光源１２１からの光は、ＤＭＤ３０の表面垂直方向Ｖに対して所定角度（ここでは、２４°）で入射する。マイクロミラーＭは、ＯＮ状態（１２°）のときに光を表面垂直方向Ｖに向けて反射し、ＯＦＦ状態（−１２°）のときに光を所定方向（−４８°）へ反射する。
【００８１】
したがって、ＯＮ状態、ＯＦＦ状態の姿勢を選択的に照射することにより、２つの光（以下、第１の光、第２の光という）が生成される。各マイクロミラーＭのＯＮ／ＯＦＦ状態を選択的に切り替えることにより、第１、第２の光を含むパターン光が基板Ｓに向けて進行する。
【００８２】
一方、マイクロミラーＭがフラット状態の場合、マイクロミラーＭは、第１、第２の光の進行する方向とは異なる方向（−２４°）へ入射光を反射させる。したがって、マイクロミラーをフラット状態に位置決めすることにより、光を基板外へ導く。
【００８３】
図８に示すように、第１の光は、ミラー２２４Ａを介してハーフミラー等の光分離手段を備えた光合成光学系２２５に入射する。第１の光は、光合成光学系２２５で９０°進行方向を変える。光合成光学系２２５から出射した第１の光は、結像光学系４０の光軸Ｅ３に沿って結像光学系４０に入射する。
【００８４】
一方、第２の光は、ミラー２２４Ｂで反射し、位相シフト板２２４を通過した後、光合成光学系２２５に入射する。第２の光は、位相シフト板２２４によって第１の光と半波長分の位相差をもつ。第２の光は、光合成光学系２２５のハーフミラーを通過し、結像光学系４０の光軸に沿って結像光学系４０に入射する。なお、光合成光学系としてはキューブプリズムなどがある。
【００８５】
その結果、半波長分の位相差がある第１の光と第２の光が基板Ｓに選択的に入射し、干渉露光が実現される。干渉露光を行なうためのマイクロミラーの姿勢については、パターン光を形成するマイクロミラーに対し、第１、第２の光いずれかを基板に投影する。特に、隣り合うパターンを形成する場合、パターンを分離する（間に挟まれる）非露光対象エリアにもパターン光の回折光が投影される。パタ−ンを形成するため光を投影するマイクロミラーに対し、一方のパターンに応じたマイクロミラーをＯＮ状態、他方のパターンに応じたマイクロミラーをＯＦＦ状態に設定し、さらに、非露光対象エリアに該当するマイクロミラーに対してはフラット状態に設定すればよい。
【００８６】
また、ハーフトーン位相マスクと同等の干渉露光を実現するため、パターン光を投影するマイクロミラーをＯＮ状態、非露光エリアに該当するマイクロミラーをＯＦＦ状態に位置決めしてもよい。この場合、第２の光の強度を第１の光に対し数パーセントに抑えるようにするため、非露光エリアは第２の光と第１の光のパターン回折光とが干渉して光強度を弱める光学素子を配置する構成などを、適用することが可能である。
【００８７】
このように第３の実施形態によれば、光源部２２１から照射された照明光は、ＤＭＤ３０のパターン光を形成する各マイクロミラーの姿勢によって第１の光、第２の光に分離される。そして、第２の光は、半波長分位相をシフトさせた状態で、第１の光と合成される。第１の光、第２の光から成るパターン光が基板に投影される。一方、非露光エリアに該当するマイクロミラーはフラット状態に位置決めされ、その結果基板に照射されない。
【００８８】
このように、照明光から第１の光、第２の光を生成し、互いに半波長分の位相差をもつようにした後に基板へ照射することにより、干渉露光が実現される。照明光学系から結像光学系までの光学系の構成に基づいて第１、第２の光を生成するため、従来の光源部をそのまま利用しながら、干渉露光を実現することが可能である。
【００８９】
なお、第１、第２の実施形態においては、光源としてレーザー発振器を適用しているが、ＬＥＤ、あるいは放電ランプなどを用いて、コヒーレント性のある光を照射するようにしてもよい。また、照明光学系、結像光学系、光分割光学系など上述した光学系についても、露光装置等の仕様に従った構成にすることが可能である。
【００９０】
第１、第２の実施形態では、マイクロミラーが光を投影しない非露光対象エリアにおいて光強度分布が互いに重なる光に対して半波長分の位相差をもたせる干渉露光と、露光エリアと非露光エリアで互いに半波長分の位相差および強度差をもつ光を投影する干渉露光を説明している。しかしながら、これ以外の位相シフトに基づいた干渉露光を実現することも可能である。干渉露光により、非露光対象エリアもしくは露光対象エリアがパターン形成時に明瞭な暗部となり、その暗部が際立ってコントラストが向上するように、各マイクロミラーが独立して第１の光、第２の光を選択的に反射すればよい。
【符号の説明】
【００９１】
１０  露光装置
２０  照明システム
３０  ＤＭＤ（光変調素子アレイ）
４０  結像光学系
【図１】
0005973207.tif 000002
【図２】
0005973207.tif 000003
【図３】
0005973207.tif 000004
【図４】
0005973207.tif 000005
【図５】
0005973207.tif 000006
【図６】
0005973207.tif 000007
【図７】
0005973207.tif 000008
【図８】
0005973207.tif 000009
【図９】
0005973207.tif 000010
【図１０】
0005973207.tif 000011